(57)【要約】      （修正有）【課題】長期使用しても破断し難くて長寿命化を図ることができ、かつ、網を仕立てる際の手間を削減できてコストダウンを図ることが可能なホタテ桁引き網を提供する。【解決手段】円環状の丸リング４の多数個を互いに連結して網状に形成された底網３を有するホタテ桁引き網であって、上記丸リング４は、これよりも小径の連結リング５を介して互いに連結されており、かつ上記連結リング５は打ち抜材からなる。【選択図】図２
0003151341.tif 000002
【実用新案登録請求の範囲】
【請求項１】
円環状の丸リングの多数個を互いに連結して網状に形成された底網を有するホタテ桁引き網において、
上記丸リングはこれよりも小径の連結リングを介して互いに連結され、かつ、上記連結リングは打ち抜材からなるものであることを特徴とするホタテ桁引き網。
【考案の詳細な説明】
【技術分野】
【０００１】
本考案は、ホタテ貝を捕獲する際に使用するホタテ桁引き網に関する。
【背景技術】
【０００２】
一般に、ホタテ貝は、潮流方向に直角に延びる隆起した畝部分に生息する傾向にあるので、畝に沿って引き網して捕獲するが、このようなホタテ貝を捕獲するための漁網として、底引き網の一種であるホタテ桁引き網が使用されている（例えば、下記の非特許文献１参照）。
【０００３】
このようなホタテ桁引き網の底網として、従来、多数の円環状の丸リングをスプリングワッシャで互いに連結して網状に形成した構造のものが提供されている。
【０００４】
そして、このような底網を仕立てる際には、例えば太さが６ｍｍ程度のワイヤを予め円弧状に屈曲形成し、このワイヤの突き合わせ端部を溶接して円環状の丸リングを形成する。次に、所要寸法の底網が形成されるように、多数の丸リングを縦横に配列するとともに、互いに隣接する各丸リングをスプリングワッシャに挿通する。その後、各スプリングワッシャの突き合わせ端部を溶接して一体化することで各丸リングをスプリングワッシャを介して連結している。
【先行技術文献】
【非特許文献】
【０００５】
【非特許文献１】北海道沿岸漁業漁具・漁法図鑑（水産北海道協会：１９７０版，３３４頁〜３３５頁）
【考案の概要】
【考案が解決しようとする課題】
【０００６】
ところで、従来のように、多数の丸リングをスプリングワッシャを介して連結して底網とした構造のものでは、次の課題がある。
【０００７】
すなわち、丸リングを互いに連結するためのスプリングワッシャは、その突き合わせ端部を溶接しているので、その溶接箇所となる繋ぎ目部分が他の部分よりも強度が比較的弱い。しかも、丸リングとスプリングワッシャは、共に突き合わせ端部が溶接されているが、丸リングはスプリングワッシャに比べて外径寸法も大きいので、底引きする際の張力は主としてスプリングワッシャに加わる。したがって、ホタテ桁引き網を長期間使用していると、底引きする際の張力がスプリングワッシャの溶接箇所に繰り返し加わることになり、その結果、溶接箇所の強度が次第に低下して破断が頻繁に発生する。
【０００８】
そのため、漁業者は、ホタテ桁引き網のメンテナンスに余分な時間と労力を要していた。また、網を仕立てる際、丸リングとスプリングワッシャの各突き合わせ端面同士をそれぞれ溶接する必要があるため、網を仕立てる工数が増加し、コストアップの要因ともなっていた。
【０００９】
本考案は、上記の課題を解決するためになされたもので、長期使用しても破断し難くて長寿命化を図ることができ、かつ、網を仕立てる際の手間と時間を短縮化することができてコストダウンを図ることが可能なホタテ桁引き網を提供することを目的とする。
【課題を解決するための手段】
【００１０】
上記の目的を達成するために、本考案は、円環状の丸リングの多数個を互いに連結して網状に形成された底網を有するホタテ桁引き網において、上記丸リングはこれよりも小径の連結リングを介して互いに連結され、かつ、上記連結リングは打ち抜材からなるものであることを特徴としている。
【考案の効果】
【００１１】
本考案によれば、互いに隣接する丸リングを連結するための連結リングが従来のようなスプリングワッシャでなく、打ち抜き材で形成されているので、強度が高くてかつ均一である。このため、底引きする際に張力が連結リングに繰り返し加わっても破断し難く、使用寿命を従来よりも長くすることができる。しかも、網を仕立てる際の溶接箇所が従来
り少なくなるので、網を仕立てる際の手間を大幅に削減することができてコストダウンを図ることが可能となる。
【図面の簡単な説明】
【００１２】
【図１】本考案の実施の形態におけるホタテ桁引き網の一部を示す平面図である。
【図２】同ホタテ桁引き網の底網を構成する丸リングと連結リングとを拡大して示す平面図である。
【図３】丸リングと連結リングとを一体的に連結する手順の説明図である。
【考案を実施するための形態】
【００１３】
図１は本考案の実施の形態におけるホタテ桁引き網の一部を示す平面図、図２は同ホタテ桁引き網の底網を構成する丸リングと連結リングとを拡大して示す平面図である。
【００１４】
この実施の形態のホタテ桁引き網１は、図示しない引き綱用の横桁に連結されたチェーン２に底網３が接続されている。そして、この底網３は、円環状の丸リング４の多数個が、この丸リング４よりも小径の連結リング５を介して縦横に連結されて網状に形成されている。
【００１５】
すなわち、この底網３は、チェーン２の取り付け側から見て、例えば丸リング４が横方向に４３個分、縦方向に３１個分が順次配列されるとともに、互いに隣接する各丸リング４同士が連結リング５を介して接続されている。
【００１６】
上記の各丸リング４は、例えば太さが６ｍｍのワイヤを内径９５ｍｍの円環状に形成したもので、その突き合わせ端部４ａは溶接されて一体化されている。また、連結リング５は、例えば内径が２０ｍｍ、厚さが６ｍｍ程度のもので、板材を打ち抜きして形成されている。
【００１７】
底網３を仕立てる際には、図３に示すように、予め、同図（ａ）に示すような円弧状に形成された多数のワイヤ６と、同図（ｂ）に示すような予め打ち抜いてなる連結リング５とをそれぞれ必要個数分だけ準備する。そして、互いに隣接する各々のワイヤ６を連結リング５に挿通した後、ワイヤ６の突き合わせ端部を溶接して円環状の丸リング４を形成する。この手順を繰り返すことで、多数の丸リング４が縦横に配列されるとともに、互いに隣接する各丸リング４が連結リング５を介して連結されてなる所要寸法の底網３が構成される。
【００１８】
以上のように、本考案のホタテ桁引き網１の底網３は、互いに隣接する丸リング４を連結するための連結リング５が従来のようなスプリングワッシャを使用せずに、打ち抜き材で形成されているので、強度が高くてかつ均一である。このため、底引きする際に張力が連結リング５に繰り返し加わっても破断し難い。しかも、個々の連結リング５は自在に回転するため、海底の石や砂等と接触することによる摩耗が特定の場所に集中することがない。そのため、底網３の使用寿命を従来品の倍程度まで延ばすことができる。
【００１９】
また、連結リング５は打ち抜きにより形成されているので、底網３を仕立てる際に突き合わせ端面同士の溶接が必要となるのは丸リング４だけとなる。このため、従来に比べて溶接箇所が少なくなり、底網３を仕立てる際の手間の時間を大幅に削減することができ、コストダウンを図ることができる。
【００２０】
なお、上記の実施の形態では、底網３は多数の円環状の丸リング４が全て打ち抜き形成された連結リング５を介して連結されているものとして説明したが、所要寸法の底網３を漁港等の現場で仕立てる際には、丸リング４を連結リング５で連結して底網３を縦方向に沿って複数分割（例えば７分割）した程度の大きさのユニットを予め形成し、各ユニットを現場に搬送してから、各ユニット相互間をスプリングワッシャで連結して所要寸法の底網３を完成させてもよい。このようにすれば、底網３全体を現場に搬送する場合よりも個々のユニットが軽量になるため、搬送時のハンドリングが容易となる。
【符号の説明】
【００２１】
１    ホタテ桁引き網
３    底網
４    丸リング
５    連結リング
【図１】
0003151341.tif 000003
【図２】
0003151341.tif 000004
【図３】
0003151341.tif 000005